(57)【要約】【課題】燃焼ガスの一部がドレインを中和するための流通経路を経由して外部に排出されることを適切に防止することが可能な温水装置を提供する。【解決手段】燃焼器１１により発生された燃焼ガスから熱回収を行なうことによって湯水加熱を行なう熱交換器ＨＥを有し、かつ前記燃焼ガスを排気口１３ａに導くための燃焼ガス流路１９を形成している温水装置本体部１と、ドレイン用の流入口６０ａおよび排出口６０ｂを有し、かつ前記熱回収に伴って発生した酸性のドレインが流入口６０ａから内部に流入するように設けられ、このドレインを中和させてから排出口６０ｂより排出させる中和器６とを備えている、温水装置Ａ１であって、温水装置本体部１から中和器６の流入口６０ａにドレインを導く配管部３Ａには、前記ドレインが所定の水位以上に滞留することにより、燃焼ガス流路１９から進行してくる燃焼ガスを遮断可能な水封構造部Ｂが設けられている。【選択図】  図１
2008185296.tif 000002
【特許請求の範囲】
【請求項１】
燃焼器により発生された燃焼ガスから熱回収を行なうことによって湯水加熱を行なう熱交換器を有し、かつ前記燃焼ガスを排気口に導くための燃焼ガス流路を形成している温水装置本体部と、
ドレイン用の流入口および排出口を有し、かつ前記熱回収に伴って発生した酸性のドレインが前記流入口から内部に流入するように設けられ、このドレインを中和させてから前記排出口より排出させる中和器と、
を備えている、温水装置であって、
前記温水装置本体部から前記中和器の流入口にドレインを導く配管部には、前記ドレインが所定の水位以上に滞留することにより、前記燃焼ガス流路から進行してくる燃焼ガスを遮断可能な水封構造部が設けられていることを特徴とする、温水装置。
【請求項２】
燃焼器により発生された燃焼ガスから熱回収を行なうことによって湯水加熱を行なう熱交換器を有し、かつ前記燃焼ガスを排気口に導くための燃焼ガス流路を形成している温水装置本体部と、
ドレイン用の流入口および排出口を有し、かつ前記熱回収に伴って発生した酸性のドレインが前記流入口から内部に流入するように設けられ、このドレインを中和させてから前記排出口より排出させる中和器と、
を備えている、温水装置であって、
前記中和器の排出口に接続された配管部には、前記ドレインが所定の水位以上に滞留することにより、前記燃焼ガス流路から進行してくる燃焼ガスを遮断可能な水封構造部が設けられていることを特徴とする、温水装置。
【請求項３】
前記水封構造部は、底部管体部と、この底部管体部の両端から上方に向けて起立した２つの起立管体部とを含んで構成されている、請求項１または２に記載の温水装置。
【請求項４】
前記配管部のうち、前記水封構造部よりも下流位置に設けられた開閉弁を備えており、
前記水封構造部にドレインが所定の水位以上に滞留していないときには、前記開閉弁によって前記配管部の流路を閉塞可能とされている、請求項１ないし３のいずれかに記載の温水装置。
【請求項５】
前記水封構造部におけるドレインの水位を検知するためのセンサと、
このセンサからの信号に基づいて前記水封構造部においてドレインが所定の水位以上に滞留しているか否かを判断し、かつドレインが前記所定の水位以上に滞留していないと判断しているときには前記開閉弁を閉状態とする制御手段と、
をさらに備えている、請求項４に記載の温水装置。
【請求項６】
前記制御手段は、前記燃焼器が燃焼駆動中であり、かつ前記水封構造部においてドレインが所定の水位以上に滞留していると判断しているときに前記開閉弁を開状態とし、それ以外のときには前記開閉弁を閉状態とするように構成されている、請求項５に記載の温水装置。
【請求項７】
前記水封構造部に接続された給水管を備えており、
前記水封構造部におけるドレインの水位が前記所定の水位に満たないときには、前記給水管から前記水封構造部に給水を行なってその水を前記所定の水位以上に滞留させることが可能とされている、請求項１ないし６のいずれかに記載の温水装置。
【請求項８】
前記温水装置本体部の排気口に接続された屋外排気用のダクトを備えており、前記温水装置本体部を屋内に設置したときに熱回収後の燃焼ガスを前記排気ダクトを介して屋外に排気させることが可能な屋内設置型温水装置として構成されている、請求項１ないし７のいずれかに記載の温水装置。
【発明の詳細な説明】
【技術分野】
【０００１】
本発明は、燃焼ガスから熱回収を行なう際に発生する酸性のドレイン（凝縮水）を中和するための中和器を備えた温水装置に関する。
【背景技術】
【０００２】
温水装置の具体例としては、特許文献１に記載されたものがある。同文献に記載された温水装置は、燃焼器により発生された燃焼ガスから水管を有する熱交換器によって顕熱および潜熱を回収し、湯水加熱を行なうように構成されている。燃焼ガスから潜熱回収を行なうと、酸性のドレインが発生するが、このドレインは熱交換器の下方に排出されてドレイン用の中和器に流入するように構成されている。前記中和器は、たとえば炭酸カルシウムなどの中和剤が容器内に収容されたものであり、酸性のドレインは、この中和器内を通過することによって中和処理され、その後この中和器の排出口から外部に排出される。したがって、ドレインが酸性のまま廃棄されることが回避され、環境保護に良い。
【０００３】
しかしながら、前記したような温水装置においては、次に述べるように、未だ改善すべき点があった。
【０００４】
すなわち、温水装置には、燃焼ガスを一定の経路で流通させて排気口に導くための燃焼ガス流路が形成されており、ドレインはこの燃焼ガス流路内において発生する。このため、前記ドレインを燃焼ガス流路内から中和器に導くように構成した場合、前記ドレインと一緒に燃焼ガスも中和器に導かれてしまい、この燃焼ガスが中和器の排出口などから排出される虞がある。中和器の排出口などから排出される燃焼ガスの量は比較的少ないものの、このような事態を無くしたい場合がある。温水装置が室内設置型とされている場合には、そのような要請はより大きい。
【０００５】
【特許文献１】特開２００６−１２５８１１号公報
【発明の開示】
【発明が解決しようとする課題】
【０００６】
本発明は、前記したような事情のもとで考え出されたものであって、燃焼ガスの一部がドレインを中和するための流通経路を経由して外部に排出されることを適切に防止することが可能な温水装置を提供することをその課題としている。
【課題を解決するための手段】
【０００７】
前記の課題を解決するため、本発明では、次の技術的手段を講じている。
【０００８】
本発明の第１の側面により提供される温水装置は、燃焼器により発生された燃焼ガスから熱回収を行なうことによって湯水加熱を行なう熱交換器を有し、かつ前記燃焼ガスを排気口に導くための燃焼ガス流路を形成している温水装置本体部と、ドレイン用の流入口および排出口を有し、かつ前記熱回収に伴って発生した酸性のドレインが前記流入口から内部に流入するように設けられ、このドレインを中和させてから前記排出口より排出させる中和器と、を備えている、温水装置であって、前記温水装置本体部から前記中和器の流入口にドレインを導く配管部には、前記ドレインが所定の水位以上に滞留することにより、前記燃焼ガス流路から進行してくる燃焼ガスを遮断可能な水封構造部が設けられていることを特徴としている。
【０００９】
このような構成によれば、燃焼ガス流路を流通する燃焼ガスの一部が、ドレインを導くための配管部に流入しても、この燃焼ガスの流通は水封構造部によって妨げられ、それよりも下流に進行することはない。したがって、ドレインを中和するための経路から燃焼ガスが外部に排出される虞を好適に解消することができる。とくに、前記構成によれば、中和器内に燃焼ガスが流入しないようにできるために、中和器に燃焼ガスの漏出を防止するための手段を講じる必要はなく、中和器の構成を簡易なものにし得る利点も得られる。
【００１０】
本発明の第２の側面により提供される温水装置は、燃焼器により発生された燃焼ガスから熱回収を行なうことによって湯水加熱を行なう熱交換器を有し、かつ前記燃焼ガスを排気口に導くための燃焼ガス流路を形成している温水装置本体部と、ドレイン用の流入口および排出口を有し、かつ前記熱回収に伴って発生した酸性のドレインが前記流入口から内部に流入するように設けられ、このドレインを中和させてから前記排出口より排出させる中和器と、を備えている、温水装置であって、前記中和器の排出口に接続された配管部には、前記ドレインが所定の水位以上に滞留することにより、前記燃焼ガス流路から進行してくる燃焼ガスを遮断可能な水封構造部が設けられていることを特徴としている。
【００１１】
このような構成によれば、燃焼ガス流路を流通する燃焼ガスの一部が中和器内に流入したとしても、この中和器の排出口に接続されている配管部に設けられている水封構造部によって、前記燃焼ガスがそれよりもさらに下流に進行することは阻止される。したがって、前記配管部の終端の開口部から燃焼ガスが外部に排出されるといったことはなく、ドレインを中和するための経路から燃焼ガスが排出される虞を好適に解消することができる。また、前記構成によれば、中和器の排出口に接続された配管部には、中和処理を終えた中性のドレインが流れるために、この配管部にバルブやその他の機器を設ける場合に、それらの機器に耐酸性を具備させる必要がなくなる利点も得られる。
【００１２】
本発明の好ましい実施の形態においては、前記水封構造部は、底部管体部と、この底部管体部の両端から上方に向けて起立した２つの起立管体部とを含んで構成されている。
【００１３】
このような構成によれば、水封構造部がいわゆるＵ字状トラップ配管と同様な構成とされており、その構成は簡易であって、その製作などが容易なものとなる。
【００１４】
本発明の好ましい実施の形態においては、前記配管部のうち、前記水封構造部よりも下流位置に設けられた開閉弁を備えており、前記水封構造部にドレインが所定の水位以上に滞留していないときには、前記開閉弁によって前記配管部の流路を閉塞可能とされている。
【００１５】
このような構成によれば、水封構造部にドレインが充分に滞留していない状態であっても、開閉弁を利用して前記配管部の流路を閉塞することにより、燃焼ガスの進行を阻止することができる。したがって、水封構造部にドレインが充分に滞留していない状態であっても、燃焼ガスがドレイン用の流路から漏出しないようにして温水装置を好適に運転させることが可能となる。
【００１６】
本発明の好ましい実施の形態においては、前記水封構造部におけるドレインの水位を検知するためのセンサと、このセンサからの信号に基づいて前記水封構造部においてドレインが所定の水位以上に滞留しているか否かを判断し、かつドレインが前記所定の水位以上に滞留していないと判断しているときには前記開閉弁を閉状態とする制御手段と、をさらに備えている。
【００１７】
このような構成によれば、開閉弁の適正な開閉動作がセンサおよび制御手段を利用して的確に制御されることとなり、燃焼ガスがドレイン用の流路を経由して排出されることがより確実に防止される。
【００１８】
本発明の好ましい実施の形態においては、前記制御手段は、前記燃焼器が燃焼駆動中であり、かつ前記水封構造部においてドレインが所定の水位以上に滞留していると判断しているときに前記開閉弁を開状態とし、それ以外のときには前記開閉弁を閉状態とするように構成されている。
【００１９】
このような構成によれば、前記開閉弁は、ドレインが流通する配管部の流路を通常時は閉塞した状態にあり、燃焼器が燃焼駆動されてその際に発生するドレインを外部に排出させる必要があるときにのみ開状態となる。したがって、ドレインの排出が不当に阻止されるような不具合を回避しつつ、燃焼ガスが前記配管部を経由して外部に排出されることをより徹底して防止することができる。
【００２０】
本発明の好ましい実施の形態においては、前記水封構造部に接続された給水管を備えており、前記水封構造部におけるドレインの水位が前記所定の水位に満たないときには、前記給水管から前記水封構造部に給水を行なってその水を前記所定の水位以上に滞留させることが可能とされている。
【００２１】
このような構成によれば、温水装置の運転初期など、ドレインが水封構造部に充分に存在しないときには、ドレインに代えて、給水管から供給される水を利用して水封構造部に水封性能を具備させることができる。
【００２２】
本発明の好ましい実施の形態においては、前記温水装置本体部の排気口に接続された屋外排気用のダクトを備えており、前記温水装置本体部を屋内に設置したときに熱回収後の燃焼ガスを前記排気ダクトを介して屋外に排気させることが可能な屋内設置型温水装置として構成されている。
【００２３】
このような構成においては、温水装置本体部を屋内に設置して好適に使用することが可能であり、燃焼ガスがドレインの流路を経由して屋内に流出しないようにすることができる。
【００２４】
本発明のその他の特徴および利点は、添付図面を参照して以下に行なう発明の実施の形態の説明から、より明らかになるであろう。
【発明を実施するための最良の形態】
【００２５】
以下、本発明の好ましい実施の形態を、図面を参照して具体的に説明する。
【００２６】
図１は、本発明が適用された温水装置の一実施形態を示している。本実施形態の温水装置Ａ１は、屋内設置型の温水装置として構成されており、温水装置本体部１、中和器６、配管部３Ａ、この配管部３Ａに形成された水封構造部Ｂ、制御部４、外装ケース７、および屋外排気用のダクト１６を備えている。
【００２７】
温水装置本体部１は、缶体１０、燃焼器１１、熱交換器ＨＥ、底部ケーシング１２、および消音器１３を具備している。燃焼器１１は、燃料パイプ１４を介して外部から供給されてくる灯油などの燃料オイルを噴霧または気化させて下向きに燃焼させる逆燃方式のものである。缶体１０内には、その上部から送風ファン１５によって燃焼用空気が下向きに供給される。缶体１０、底部ケーシング１２、および消音器１３の内部は、一連に繋がった燃焼ガス流路１９であり、燃焼器１１によって発生された燃焼ガスは、缶体１０内を下向きに進行して底部ケーシング１２内に流入した後に消音器１３内に進入し、排気口１３ａに到達する。この排気口１３ａには、屋外排気用のダクト１６が接続されており、この温水装置Ａ１の外装ケース７およびその内部に収容されている部分が屋内に設置された場合、このダクト１６を利用して燃焼ガスが屋外にガイドされ、排気される。
【００２８】
熱交換器ＨＥは、燃焼器１１の下方に配されており、燃焼ガスから顕熱を回収するための１次熱交換部２Ａと、潜熱を回収するための２次熱交換部２Ｂとを有している。これら２つの熱交換部２Ａ，２Ｂは、たとえば複数のフィン２０ａ，２０ｂを有する水管２１ａ，２１ｂを具備して構成されている。外装ケース７の側壁には、入水口２２ａおよび出湯口２２ｂが設けられており、外部から入水口２２ａに供給された水は、給水管２３ａを通過して水管２１ｂ，２１ａに送られて加熱され、その後この加熱された湯水は出湯管２３ｂを通過して出湯口２２ｂに到達し、この出湯口２２ｂから所望の給湯先に供給される。
【００２９】
２次熱交換部２Ｂによって潜熱回収がなされたときには、燃焼ガス中の水蒸気が凝縮し、燃焼ガス中の硫黄酸化物や窒素酸化物などの成分を含んだ酸性のドレイン（凝縮水）が発生する。このドレインは、２次熱交換部２Ｂから底部ケーシング１２内に流れ落ち、その底部に設けられている排出口１２ａに流れ込むようになっている。
【００３０】
配管部３Ａは、ドレインを中和器６に導くための部分であり、この配管部３Ａの両端は、排出口１２ａおよび中和器６の流入口６０ａに接続されている。水封構造部Ｂは、配管部３Ａを構成する管体の一部分を略Ｕ字状に形成することにより構成されており、排出口１２ａに上端が接続された第１の起立管体部３０ａ、その下端に一端部が繋がった底部管体部３０ｂ、およびこの底部管体部３０ｂの他端部から上向きに起立した第２の起立管体部３０ｃを有している。これらの部分は１本の管体に曲げ加工を施して形成してもよいが、複数の管体を連結して構成してもよい。底部管体部３０ｂは、半円弧状などのエルボ管を用いて構成することもできる。排出口１２ａから配管部３Ａ内にドレインが流入すると、このドレインは水封構造部Ｂに滞留することとなり、第１および第２の起立管体部３０ａ，３０ｃに滞留したドレインは、排出口１２ａからの燃焼ガスの進行を阻止し得る水頭圧を発揮するようになっている。第２の起立管体部３０ｃの上端には、逆Ｕ字状の管体部３１が連設され、第２の起立管体部３０ｃ内のドレインが所定の高さＨ１を超えると、管体部３１側にオーバフローして中和器６に流入するようになっている。
【００３１】
配管部３Ａには、開閉弁５０、および水位センサ５１も設けられている。開閉弁５０は、遠隔制御が可能なたとえば電磁開閉弁であり、管体部３１の下流側に設けられている。水位センサ５１は、第２の起立管体部３０ｃ内においてドレインの液面レベル（封水深）が所定の水位Ｈ２にあるか否かを検知するためのものである。もちろん、水位Ｈ２は、水封構造部Ｂに滞留したドレインが燃焼ガスの進行を阻止可能な水頭圧を発揮し得る水位であり、たとえば５０〜６０ｍｍ程度、あるいはそれ以上である。好ましくは、この水位Ｈ２は、第２の起立管体部３０ｃ内に滞留されるドレインの最高水位である高さＨ１よりも低い高さとされている。本実施形態とは異なり、たとえば水位センサによってドレインの液面が高さＨ１以上であるか否かを検出させるようにした場合には、第２の起立管体部３０ｃ内のドレインの液面が高さＨ１を超える都度オーバフローしてその液面高さが振れ、水位検出動作にハンチングを生じる不具合がある。これに対し、本実施形態の構成によれば、そのようなハンチングを適切に防止することが可能である。
【００３２】
水封構造部Ｂには、給水管２３ａから分岐した分岐給水管２３０の一端が接続されている。この分岐給水管２３０には、制御部４によって遠隔制御される開閉弁５２が設けられており、この開閉弁５２を開状態とすることにより、給水管２３ａを流れている水を水封構造部Ｂに流入させて滞留させることができるようになっている。
【００３３】
中和器６は、たとえば耐酸性を有する合成樹脂製の容器６０内に、粒状の炭酸カルシウムなどの中和剤６１が収容されたものである。ドレインが流入口６０ａから容器６０内に流入すると、このドレインは中和剤６１との接触によって中和され、流出口６０ｂに到達する。流出口６０ｂに到達したドレインは、適当な配管部６９を介して外装ケース７の側壁に設けられたドレイン排出口６８に導かれて、外装ケース７の外部に排出されるようになっている。
【００３４】
制御部４は、たとえばマイクロコンピュータを用いて構成されている。この制御部４は、燃焼器１１やファン１５の駆動制御など、所望温度の湯水を加熱生成するのに必要な制御を実行する他、水位センサ５１からの信号に基づいて開閉弁５０を開閉する制御なども実行する。その詳細については、後述する。
【００３５】
次に、温水装置Ａ１の作用について説明する。
【００３６】
まず、この温水装置Ａ１の運転時には、燃焼器１１によって発生された燃焼ガスから熱交換器ＨＥによって顕熱および潜熱が回収され、水管２１ｂ，２１ａ内を順次流通する湯水が効率良く加熱される。潜熱回収に伴って熱交換器ＨＥにおいて発生したドレインは、底部ケーシング１２内に流れ落ちた後に、配管部３Ａを通過して中和器６内に流入する。次いで、この中和器６によって中和されたドレインは、外装ケース７の側壁の排出口６８から外部に排出される。この排出口６８にホース（図示略）などを接続しておき、中和されたドレインを浴室やその他の排水口に導いて廃棄させるようにしてもよい。
【００３７】
ドレインが配管部３Ａに流入した場合、既述したとおり、この配管部３Ａの水封構造部Ｂにはドレインが滞留する。その結果、底部ケーシング１２内の燃焼ガスが排出口１２ａから配管部３Ａ内に流入しようとしても、この燃焼ガスの進行は水封構造部Ｂのドレインによって阻止される。したがって、燃焼ガスが中和器６内に流入したり、あるいはドレイン用の排出口６８まで到達するといったことが無くなり、これらの部分から燃焼ガスが排出されることが好適に防止される。図３を参照して後述する実施形態では、中和器６内に流入した燃焼ガスがこの中和器６の各部から外部に漏出しないように、中和器６に気密性をもたせておく必要がある。これに対し、本実施形態においては、中和器６内に燃焼ガスが流入しないために、そのような必要はない。
【００３８】
次に、制御部４によって開閉弁５０を制御する動作手順の一例について、図２に示したフローチャートを参照しつつ説明する。
【００３９】
制御部４は、水管２１ａ，２１ｂにおいて一定量以上の湯水の流通が無く、燃焼器１１を燃焼駆動させる必要がないときには、開閉弁５０を閉状態に維持させておく（Ｓ１：ＹＥＳ，Ｓ２）。一方、燃焼器１１を燃焼駆動させる必要が生じ、燃焼器１１において燃焼駆動が行なわれた場合には、水位センサ５１からの出力信号の有無を判断する（Ｓ１：ＮＯ，Ｓ４，Ｓ５：ＹＥＳ，Ｓ６）。そして、水位センサ５１からの出力信号があり、水封構造部Ｂにドレインが所定の水位Ｈ２以上に滞留していると判断できる場合には、開閉弁５０が開状態とされる（Ｓ６：ＹＥＳ，Ｓ７）。このように開閉弁５０を開状態にしておけば、燃焼器１１の燃焼駆動時において次々と発生するドレインを中和器６内に適切に流入させていくことができる。もちろん、ドレインが所定の水位Ｈ２以上にあれば、燃焼ガスは水封構造部Ｂによって好適に遮断される。
【００４０】
前記とは異なり、燃焼器１１の燃焼駆動中において、水位センサ５１からの出力信号がなく、水封構造部Ｂにドレインが所定の水位Ｈ２以上に滞留していないと判断できる場合には、開閉弁５０は閉状態とされる（Ｓ５：ＹＥＳ，Ｓ６：ＮＯ，Ｓ２）。温水装置Ａ１を初めて運転させるときにはドレインが水封構造部Ｂには存在していない。また、温水装置Ａ１の運転を長期間停止させていた場合には、水封構造部Ｂのドレインが蒸発してその量が減少している場合があり、水封構造部Ｂにドレインが充分に存在しない場合がある。このような状況下において、燃焼器１１が燃焼駆動されると、水封構造部Ｂによって燃焼ガスを遮断する作用が得られないこととなるが、本実施形態によれば、そのような際には開閉弁５０が閉状態とされるために、この開閉弁５０よりも下流側に燃焼ガスが進行することは、やはり適切に防止される。したがって、水封構造部Ｂにドレインが充分に滞留していない場合であっても、温水装置Ａ１を適切に運転させることができる。
【００４１】
前記したような一連の動作は、制御部４による制御が強制的に終了されるようなことがない限り、繰り返して実行される（Ｓ３：ＮＯ）。前記した一連の動作手順によれば、開閉弁５０は、燃焼器１１が燃焼駆動し、かつ水位センサ５１がオンとされている期間中にのみ開状態とされる。開閉弁５０は、それ以外の期間は閉状態とされるために、燃焼ガスが配管部３Ａを通過して中和器６に流入することはより徹底して防止される。水位センサ５１が万一故障した場合にも、燃焼ガスの排出阻止を図ることが可能となる。また、本実施形態によれば、水封構造部Ｂにドレインが充分に存在し、水位センサ５１がオンであったとしても、燃焼器１１の燃焼駆動が終了した時点で開閉弁５０は閉じられる。したがって、燃焼器１１の燃焼駆動が終了した後において、燃焼ガス流路１９に残存している燃焼ガスが配管部３Ａを通過することも開閉弁５０によって阻止し得ることとなる。
【００４２】
さらに、この温水装置Ａ１においては、水封構造部Ｂにドレインが充分に存在しないときには、制御部４の制御により開閉弁５２を開き、分岐給水管２３０から水封構造部Ｂに給水させることもできる。このことにより、水封構造部Ｂには、ドレインに代えて、分岐給水管２３０からの水を満たし、燃焼ガスを遮断可能な状態とすることができる。
【００４３】
図３は、本発明の他の実施形態を示している。同図において、前記実施形態と同一または類似の要素には、前記実施形態と同一の符号を付している。
【００４４】
図３に示す温水装置Ａ２においては、底部ケーシング１２の排出口１２ａと中和器６の流入口６０ａとが、短管状の部材６７を用いて気密性を保持するように接続されている。一方、中和器６の排出口６０ｂと外装ケーシング７の側壁の排出口６８との間を繋ぐ配管部３Ｂには、水封構造部Ｂ、開閉弁５０、および水位センサ５１が設けられており、また開閉弁５２を備えた分岐給水管２３０も接続されている。これら各部の構成は、図１に示したものと同様であり、再説明は省略する。本実施形態においては、制御部４によって開閉弁５０を開閉制御する動作手順も図２に示したものと同様である。
【００４５】
この温水装置Ａ２においては、燃焼ガス流路１９の燃焼ガスが排出口１２ａから中和器６内に流入するが、この燃焼ガスはその下流の水封構造部Ｂにおいて遮断され、それよりも下流側には進行しないこととなる。したがって、燃焼ガスがドレイン用の排出口６８から排出されることはない。もちろん、ドレインが流通する経路のうち、水封構造部Ｂよりも上流側に位置する中和器６などには気密性を保持させておくことにより、これらの部分から燃焼ガスが漏出することも防止することができる。この温水装置Ａ２においては、中和器６によって中和されたドレインが配管部３Ｂを流れるために、配管部３Ｂを耐酸性を有しない安価な材質にすることができる。また、開閉弁５０についても、耐酸性を具備させる必要はない。
【００４６】
本発明は、上述した実施形態の内容に限定されない。本発明に係る温水装置の各部の具体的な構成は、種々に設計変更自在である。
【００４７】
本発明でいう水封構造部は、上述した実施形態のように、配管部の管体の一部を屈曲または湾曲した形状にすることによって構成することが可能であるが、これに代えて、たとえばドレインを適当な水位に貯留可能なタンク状のものを利用して構成することも可能である。要は、ドレインが所定の水位以上に滞留することによって燃焼ガス流路から進行してくる燃焼ガスを遮断可能な水封構造であればよい。
【００４８】
中和器は、酸性のドレインを中和処理する機能を有していればよい。熱交換器は、フィンパイプを利用したものに限らず、たとえばコイル状の水管を用いた構成とすることもできる。燃焼器としても、オイル燃焼器以外のたとえばガス燃焼器を用いることが可能であり、その燃焼方式も逆燃焼方式に限らない。本発明でいう温水装置とは、湯を生成する機能を備えた装置の意であり、一般給湯用、風呂給湯用、暖房用、あるいは融雪用などの各種の給湯装置、および給湯以外に用いられる湯を生成する装置を広く含む概念である。また、本発明は、屋内設置型に最適であるが、屋外に設置される温水装置にも適用できることは言うまでもない。
【図面の簡単な説明】
【００４９】
【図１】本発明に係る温水装置の一例を模式的に示す断面図である。
【図２】図１に示す温水装置における制御部の動作処理手順の一例を示すフローチャートである。
【図３】本発明に係る温水装置の他の例を模式的に示す断面図である。
【符号の説明】
【００５０】
Ａ１，Ａ２      温水装置
Ｂ              水封構造部
ＨＥ            熱交換器
１              温水装置本体部
３Ａ，３Ｂ      配管部
４              制御部（制御手段）
６              中和器
１１            燃焼器
１３ａ          排気口
１６            屋外排気用のダクト
１９            燃焼ガス流路
３０ａ，３０ｃ  第１および第２の起立管体部（水封構造部の起立管体部）
３０ｂ          底部管体部（水封構造部の）
５０            開閉弁
５１            水位センサ（センサ）
６０ａ          流入口（中和器の）
６０ｂ          流入口（中和器の）
２３０          分岐給水管（給水管）
【図１】
2008185296.tif 000003
【図２】
2008185296.tif 000004
【図３】
2008185296.tif 000005